(57)【要約】【課題】蓋体が不用意に開放されることがなく、しかも、片手で簡単に開閉できる注出栓を提案する。【解決手段】内容物の注出経路を形成する注出筒１ｃを有し、容器の口部ｈに固定保持されるベースキャップ１と、このベースキャップ１に開閉可能に連結保持され、垂下筒体２ｃの先端部を該注出筒１ｃに嵌合させて該注出経路を密閉する蓋体２とを備えた注出栓において、該蓋体２に、その天面壁部２ａを貫いて配置されるロックボタン４を設ける。ロックボタン４としては、蓋体２の天面壁部２ａの上面において露出する操作部４ａと、この操作部４ａにアーム４ｂを介して懸垂支持され、ベースキャップ１の天板１ａの下面に連係して蓋体２の開放を阻止する爪部４ｃと、この爪部４ｃとベースキャップ１との連係状態を維持する一方、付勢力に抗する操作部４ａの強制的なスライドにて該爪部４ｃとベースキャップ１との連係状態を解除して蓋体２の開放を可能とする弾性片４ｄとによって構成する。【選択図】図１
2010274969.tif 000002
【特許請求の範囲】
【請求項１】
内容物の注出経路を形成する注出筒を有し、容器の口部に固定保持されるベースキャップと、このベースキャップに開閉可能に連結保持され、該注出筒を覆い隠してその注出経路を密閉する蓋体とを備えた注出栓であって、
前記蓋体に、その天面壁部を貫いて配置されるロックボタンを設け、
該ロックボタンが、蓋体の天面壁部の上面において露出する操作部と、この操作部にアームを介して懸垂支持され、ベースキャップの天板の下面に連係して蓋体の開放を阻止する爪部と、この爪部とベースキャップとの連係状態を維持する一方、付勢力に抗する操作部の強制的なスライドにて該爪部とベースキャップとの連係状態を解除して蓋体の開放を可能とする弾性片からなる、ことを特徴とする注出栓。
【請求項２】
前記ロックボタンのアームは、相互に間隔をおいて配置され弾性変位可能な一対の板状体からなり、該板状体に蓋体の天面壁部においてロックボタンを抜け止めする突起を有する、請求項１記載の注出栓。
【発明の詳細な説明】
【技術分野】
【０００１】
本発明は、容器を傾けることによって内容物を注出するハンディタイプの容器に装着して好適な注出栓に関するものであり、蓋体の不用意な開放による内容物の漏洩を確実に回避しようとするものである。
【背景技術】
【０００２】
シャンプーやリンス、整髪剤、化粧料、調味料等を入れるハンディタイプの容器には、操作性の改善を図る観点から片手で蓋体を開放し、そのまま内容物が注出することできるヒンジタイプの注出栓が装着されている。
【０００３】
かかる注出栓は、蓋体の裏面に一体的に設けられた棒状凸部を注出筒の通路に嵌合させることで内容物の注出を防止する仕組みになっており、商品の流通段階等では、容器の胴体部分に予期しない衝撃が付加された場合において、該棒状凸部が注出筒の通路から外れてしまうこともあって内容物が漏れ出てしまうおそれがあった。
【０００４】
この点に関する先行技術としては、天板上面の窓部にスライド板を配置し、このスライド板に係合片を介してつながる係合突起を、キャップ体の前向き壁面に設けた係合突起に係合させて蓋体の開放を阻止した弾性反転形キャップが知られている（例えば、特許文献１参照。）が、かかるキャップにおいてはスライド板をスライドさせるような力が作用した場合にロック状態が簡単に解除されてしまう不具合があり、未だ改善の余地が残されていた。
【先行技術文献】
【特許文献】
【０００５】
【特許文献１】実公昭６３−１０５６６６号公報
【発明の概要】
【発明が解決しようとする課題】
【０００６】
本発明の課題は、不用意な力が作用しても簡単にロック状態が解除されることがなく、使用時においてはロック状態を容易に解除して蓋体を開放できる注出栓を提案するところにある。
【課題を解決するための手段】
【０００７】
本発明は、内容物の注出経路を形成する注出筒を有し、容器の口部に固定保持されるベースキャップと、このベースキャップに開閉可能に連結保持され、該注出筒を覆い隠してその注出経路を密閉する蓋体とを備えた注出栓であって、
前記蓋体に、その天面壁部を貫いて配置されるロックボタンを設け、
該ロックボタンが、蓋体の天面壁部の上面において露出する操作部と、この操作部にアームを介して懸垂支持され、ベースキャップの天板の下面に連係して蓋体の開放を阻止する爪部と、この爪部とベースキャップとの連係状態を維持する一方、付勢力に抗する操作部の強制的なスライドにて該爪部とベースキャップとの連係状態を解除して蓋体の開放を可能とする弾性片からなる、ことを特徴とする注出栓である。
【０００８】
ロックボタンのアームとしては、相互に間隔をおいて配置され弾性変位可能な一対の板状体からなるものとし、該板状体に、蓋体の天面壁部においてロックボタンを抜け止めする突起を設けておくのが望ましい。
【発明の効果】
【０００９】
爪部には、弾性片による付勢力が常に働いているため、ベースキャップの天板との連係状態が保たれており、蓋体を引き上げるような力が付加されても該蓋体が開放されることがない。また、操作部をスライドさると、爪部による連係状態が解除され、そのまま蓋体を引き上げることで蓋体の開放が可能となる。とくに、片手でもってロックの解除と蓋体の開放が可能であり、使い勝手がよい。
【００１０】
ベースキャップと蓋体とをヒンジを介して一体連結してこれを一部材とすることにより注出栓の構成部材を、ロックボタンとの２パーツで構成することが可能で、構造の簡素化が可能となる。
【００１１】
ロックボタンの操作部を蓋体の貫通開口を覆い隠すサイズとすることで、該貫通開口からのゴミの侵入を防止することができる。
【図面の簡単な説明】
【００１２】
【図１】本発明にしたがう注出栓の実施の形態を断面で示した図（ロック状態）である。
【図２】図１に示した注出栓においてロックを解除した状態を示した図である。
【図３】図１に示した注出栓の分解状態を示した外観斜視図である。
【図４】（ａ）（ｂ）は、ロックボタンの取り付け状況の説明図である。
【図５】図１に示した注出栓につき、蓋体を閉じる状況を示した図である。
【発明を実施するための形態】
【００１３】
以下、図面を参照して本発明をより具体的に説明する。
図１〜３は、本発明にしたがう注出栓の側面を示した図であり、図における１は、容器の口部ｈにアンダーカットあるいはねじの如き係合手段で固定保持されるベースキャップである。このベースキャップ１は、水平配置になる天板１ａと、この天板１ａの縁部に垂下され、容器の口頚部を取り囲んでその内側に装着空間を形成する周壁１ｂと、該天板１ａの上面に設けられ、内容物の注出経路を形成する注出筒１ｃと、周壁１ｂの内側で天板１ａの下面から垂下され、容器の口部ｈにアンダーカットあるいはねじの如き係合手段で着脱自在に係合する二重環1ｄから構成されている。
【００１４】
また、２は、ベースキャップ１にヒンジｅを介して開閉可能に連結保持される蓋体である。この蓋体２は、ベースキャップ１の天板１ａの上部に位置する天面壁部２ａと、この天面壁部２ａの縁部に一体連結する周壁２ｂから構成されており、その天面壁部２ａの下面には、蓋体２を閉じた時に、先端部を注出筒１ｃに嵌合させてその注出経路を密閉する垂下筒２ｃと、この垂下筒２ｃを取り囲む筒体２ｄが設けられている。また、天面壁部２ａの、ヒンジｅから最も離れた部位（ヒンジｅの対向位置）には、それを貫く貫通開口２ｅが形成され、ヒンジｅの対向位置における周壁２ｂには、蓋体２を開放する際に指を引っ掛ける鍔部２ｆが形成されている。
【００１５】
３は、ベースキャップ１の天板１ａに設けられた貫通開口、４は、ロックボタンである。ロックボタン４は、蓋体２の貫通開口２ｅにスライド可能に配置されるものであって、図３にその外観を斜視図で示した如く、蓋体２の天面壁部２ａの上面において露出する操作部４ａと、この操作部４ａにアーム４ｂを介して懸垂支持され、ベースキャップ１の天板１ａに形成された貫通開口３を通してその下面に連係（引っ掛かる）して蓋体２の開放を阻止する爪部４ｃと、一端が固定され、他端が自由端になる舌片状の弾性片４ｄから構成されている。ロックボタン４のアーム４ｂは、相互に間隔をおいて配置され、相互近接できる弾性変位を可能とした一対の板状体で構成することができる。
【００１６】
弾性片４ｄの一端は、爪部４ｃの上部に固定され、自由端は、蓋体２の下面に設けられた筒体２ｂの側壁に当接しており、この弾性片４ｄの付勢力により爪部４ｃがアーム４ｂ、操作部４ａとともに貫通開口２ｅの外縁側へ向けて押し付けられていて、これにより爪部４ｃがベースキャップ１の天板１ａの下面で連係して蓋体２の開放を阻止している（ロック状態）。
【００１７】
さらに、５は、ロックボタン４が、蓋体２の天面壁部２ａに設けられた貫通開口２ｄから抜け出すのを防止めするための突起である（図３参照）。この突起５は、アーム４ｂのそれぞれの外側面に設けられており、図４（ａ）（ｂ）に示すように、ロックボタン４を蓋体２の貫通開口２ｃに組み付けるに際して、該アーム４ｂが弾性変位することにより該貫通開口２ｃを通り抜け、該突起５の通り抜け後のアーム４ｂの復元により貫通開口２ｃの下端部に引っ掛かってロックボタン４の抜け出しを防止する。
【００１８】
本発明にしたがう注出栓は、図１に示すように、爪部４ｃが、弾性片４ｄにより貫通開口３の外縁側（鍔部２ｄ側）へ常に押しやれており、これにより爪部４ｃがベースキャップ１の天板１ａの下面に引っ掛かってロック状態に保たれ、蓋体２に不用意な力が付加されても該蓋体２が簡単に開放することはない。
【００１９】
蓋体２のロック状態を解除するには、図２に示すように、弾性片操作部４ａをヒンジｅ側へ向けてスライドさせて、鍔部２ｆを利用して蓋体２をそのまま引き上げればよい。
【００２０】
蓋体２を開放したのち、ロックボタン４の操作部４ａに加えた力を取り除くと、該操作部４ａにアーム４ｂを介してつながる爪部４ｃは、弾性片４ｄの付勢力により元の位置（貫通開口２ｃの外縁側端）へと自動的に復帰し、蓋体２を閉じたとき、何らの操作を伴うことなしにロック状態に保持されることとなり、ロック忘れによって蓋体２が開放されて内容物が漏れ出すことがない。
【００２１】
蓋体２を閉じる状況を図５に示す。爪部４ｃに弾性片４ｄによる付勢力が常に働いているものにあっては、蓋体２を閉じるべく、押圧していくと、爪部４ｃが、貫通開口３の端面からベースキャップ１の天板１ａの下面に移行していくときに弾性片４ｄの急激な復元によってクリック音（クリック感）を発することになるため、蓋体２が閉じた状態にあるかどうか把握できることになる。
【００２２】
本発明にしたがう注出栓は、合成樹脂にて成形できるものであり、ベースキャップ１と蓋体２とをヒンジｅを介して連結することにより１パーツ化が可能であり、ロックボタン４を含めても２パーツで構成することができる（２パーツロック機構付き）。
【００２３】
操作部４ａのサイズを貫通開口２ｅよりも大きなサイズにしておくことで、その相互間の隙間をなくすことが可能となるため、ゴミや埃の侵入を阻止することが可能であって、衛生上の改善を図るのに有用であるだけでなく、見栄えもよい。
【００２４】
ロックの解除と蓋体２の開放が同じ手指で行うことができるので、使い勝手がよい。
【産業上の利用可能性】
【００２５】
簡単な動作で蓋体の開閉が行え、蓋体が閉じた状態では、該蓋体が不用意に開閉されることののない注出栓が提供できる。
【符号の説明】
【００２６】
１      ベースキャップ
１ａ    天板
１ｂ    周壁
１ｃ    注出筒
１ｄ    二重環
２      蓋体
２ａ    天面壁部
２ｂ    周壁
２ｃ    垂下筒
２ｄ    筒体
２ｅ    貫通開口
２ｆ    鍔部
３      貫通開口
４      ロックボタン
４ａ    操作部
４ｂ    アーム
４ｃ    爪部
４ｄ    弾性片
５      突起
【図１】
2010274969.tif 000003
【図２】
2010274969.tif 000004
【図３】
2010274969.tif 000005
【図４】
2010274969.tif 000006
【図５】
2010274969.tif 000007